(57)【特許請求の範囲】
【請求項１】
筆記具本体の軸筒に着脱自在となるキャップを備えると共に、軸筒の先端部に設けたペン芯の周囲以外に空気置換用の空気孔を備えた筆記具において、前記筆記具本体は先端に筒状体の先軸を有し、該先軸内にはペン芯を保持するペン芯保持部が設けられると共に、上記先軸とペン芯保持部との間に上記空気置換用の空気孔が設けられ、前記キャップ内には、ペン芯を包囲する包囲部と、該包囲部の開口部に設けられ、上記ペン芯の周囲と空気孔開口部とをペン芯保持部の先端面で遮断する第１シール部と、キャップ内周面に空気孔開口部と外気とを先軸の外周面で遮断する第２シール部とを備えたことを特徴とする筆記具。
【発明の詳細な説明】
【０００１】
【産業上の利用分野】
本発明は、ペン芯の周囲以外に空気置換用の空気孔を備えた筆記具に関する。
【０００２】
【従来の技術】
従来より、筆記具本体の軸筒に着脱自在となるキャップを備えると共に、軸筒の先端部に設けたペン芯の周囲以外に空気置換用の空気孔を備えた筆記具は、数多く案出されている。
【０００３】
このような筆記具において、筆記具本体とキャップとのシールは、外気とのシールを目的として行われ、その機能はペン芯からのインキの揮発を抑えるものであった。
【０００４】
しかしながら、軸筒の先端部に設けたペン芯の周囲以外に空気置換用の空気孔を備えた筆記具にあっては、空気孔開口部はシールされていないため、ペン芯からインキ垂れ等が生じるという課題があった。
【０００５】
【発明が解決しようとする課題】
本発明は、上記従来の課題に鑑み、これを解消しようとするものであり、筆記具本体の軸筒に着脱自在となるキャップを備えると共に、軸筒の先端部に設けたペン芯の周囲以外に空気置換用の空気孔を備えた筆記具において、キャップの被着時におけるペン芯からのインキ垂れ等を防止すると共に、ペン芯の乾燥を更に防止した筆記具を提供することを目的とする。
【０００６】
本発明者らは、筆記具について鋭意検討した結果、キャップのシール部を特定構造とすることにより目的の筆記具が得られることを見い出し、本発明を完成するに至ったのである。
すなわち、本発明の筆記具は、筆記具本体の軸筒に着脱自在となるキャップを備えると共に、軸筒の先端部に設けたペン芯の周囲以外に空気置換用の空気孔を備えた筆記具において、前記筆記具本体は先端に筒状体の先軸を有し、該先軸内にはペン芯を保持する筒状のペン芯保持部が設けられると共に、上記先軸とペン芯保持部との間に上記空気置換用の空気孔が設けられ、前記キャップ内には、ペン芯を包囲する包囲部と、該包囲部の開口部に設けられ、上記ペン芯の周囲と空気孔開口部とをペン芯保持部の先端面で遮断する第１シール部と、キャップ内周面に空気孔開口部と外気とを先軸の外周面で遮断する第２シール部とを備えたことを特徴とするものである。
【０００７】
【作用】
本発明では、キャップに備わる第１シール部はペン芯の周囲と空気孔開口部とをペン芯保持部の先端面で遮断し、第２シール部は空気孔開口部と外気とを先軸の外周面で遮断するので、キャップ内では気体の循環が起きないこととなるため、ペン芯を下向きに等に保管してもペン芯からのインキ垂れ等が生じないこととなり、また、上記第１シール部と第２シール部との二重シール構造によりキャップのシール性は大幅に向上し、ペン芯の乾燥をより防止することができることとなる。
【０００８】
【実施例】
次に、本発明の実施の一例を図面を参照して説明する。
【０００９】
本実施例の筆記具Ａは、図１及び図２に示すように、筆記具本体１０と、キャップ２０とを備えている。
筆記具本体１０は、軸筒の一部となる大径部１１と小径部１２とからなる筒状体の先軸１３を有し、該先軸１３内にはペン芯１４を保持する筒状のペン芯保持部１５が設けられると共に、先軸１３とペン芯保持部１５間、すなわち、ペン芯１４の周囲以外となる先軸１３の周囲に環状の空気置換用の空気孔１６が設けられている。
【００１０】
筆記具本体１０内部には、図示しないインキを貯溜するインキタンクを有し、該インキタンク内のインキを図示しない吸液性の繊維部材等からなる中継部材を介してペン芯１４に供給する構造になっている。また、上記空気孔１６は、インキタンク内に連通し、インキタンク内と大気圧とを同圧にして、温度変化、圧力変化による筆記時のインキのボタ落ちや洩出を防止している。
【００１１】
キャップ２０は、先軸１３と同様の径違いの閉塞部を有する筒状体であって、先軸１３の大径部１１に着脱自在に外嵌される大径の胴部２１と、該胴部２１が肩部２２を介して一体に設けられた首部２３とを有している。
該首部２３内には、ペン芯１４を包囲する包囲部２４と、該包囲部２４の開口部に設けられ、上記ペン芯１４の周囲と空気孔開口部１６ａとをペン芯保持部１５の先端面で遮断する環状のシール突起２５ａを有する第１シール部２５と、首部２３内周面に空気孔開口部１６ａと外気とを先軸１３の小径部１２外周面で遮断するシール突起２６ａを有する第２シール部２６とを有している。
上記第１シール部２５及び第２シール部２６は、ゴム又はキャップ２０と同質の樹脂などから構成されている。
【００１２】
先軸１３の小径部１２先端部はストレート面１２ａとなっており、小径部１２の外周面も環状の周面となっている。
なお、先軸１３の小径部１２先端部にシール突起を設け、シール部２５の先端部をストレート面としてもよく、また、小径部１２の外周面にシール突起を設け、シール部２６の先端部をストレート面としてもよい。
【００１３】
本実施例の筆記具Ａでは、キャップ２０の胴部２１を筆記具本体１０の大径部１１に、図示していないが嵌合又は螺合等することによりキャップ２０を筆記具本体１０に被着することができる。これにより、先軸１３の小径部１２先端部に第１シール部２５のシール突起２５ａが当接されてペン芯１４の周囲と空気孔開口部１６ａとを遮断（シール）すると共に、小径部１２の外周面に第２シール部２６のシール突起２６ａが嵌入されて空気孔開口部１６ａと外気とを遮断（シ−ル）することとなる。
従って、本実施例の筆記具Ａでは、キャップ２０を筆記具本体１０に被着すると、第１シール部及び第２シール部により、ペン芯１４の周囲と、空気孔開口部１６ａと、外気とをそれぞれ遮断することとなるので、キャップ２０内では気体の循環が起きないため、ペン芯１４を下向き等に保管してもペン芯１４からのインキ垂れ等が生じないこととなり、また、該二重シール構造によりキャップ２０のシール性は大幅に向上し、ペン芯１４の乾燥をより防止することができることとなる。
【００１４】
本発明の筆記具は、例えば、インキを貯溜するタンクを有し、直接タンク内にインキを貯溜するインキ直接貯溜方式のサインペン、マーキングペン、または、インキを中綿で貯溜するサインペン、マーキングペン等に適用できるものである。
【００１５】
本発明の筆記具は、上述のように構成され、使用されるものであるが、上記実施例に限定されるものではなく、本発明の要旨を変更しない範囲で種々の態様に設計変更等できるものである。
すなわち、本発明の筆記具は、先軸１３を有する筆記具本体１０と、筆記具本体１０に着脱自在となるキャップ２０と、筆記具本体１０内に設けられ、ペン芯１４の周囲以外に空気置換用の空気孔１６を備えた筆記具において、上記構成の第１シール部２５及び第２シール部２６を有するキャップ２０を備えた点を特徴とするものであるので、これ以外の筆記具本体１０の形状、構造は特に限定されず、例えば、ペン芯１４を筆ペンタイプとしてもよい。
【００１６】
【発明の効果】
本発明によれば、キャップに備わる第１シール部はペン芯の周囲と空気孔開口部とをペン芯保持部の先端面で遮断すると共に、第２シール部は空気孔開口部と外気とを先軸の外周面で遮断するので、キャップ内では気体の循環が起きないため、ペン芯を下向き等に保管してもペン芯からのインキ垂れ等が生じることがなく、また、上記第１シール部と第２シール部との二重シール構造によりキャップのシール性は大幅に向上し、ペン芯の乾燥をより防止することができる筆記具が提供される。
【図面の簡単な説明】
【図１】本発明の実施の一例を示す部分断面図である。
【図２】本発明の実施の一例を示す斜視図である。
【符号の説明】
Ａ  筆記具
１０  筆記具本体
１３  先軸
１４  ペン芯
１６  空気置換用の空気孔
２０  キャップ
２５  第１シール部
２６  第２シール部
【図１】
0003647923.tif 000002
【図２】
0003647923.tif 000003